(57)【要約】      （修正有）【課題】遮光幕体を設けても、扉体の開閉が煩雑になることがなく、且つ開閉の際の外光の侵入を極力抑えることができる処理装置を提供する。【解決手段】印刷媒体に紫外線硬化インクを用いて印刷を行う印刷部３と、印刷部３を覆うと共に、印刷部３に対するメンテナンス用の開口部３１を有する装置カバー７と、開口部３１を開閉する扉体３２と、扉体３２の内側に沿わせて配設され、扉体３１を開放した状態で紫外線を遮光する遮光幕体６と、を備えたものである。【選択図】図３
2016182784.tif 000002
【特許請求の範囲】
【請求項１】
処理対象物に紫外線硬化インクを用いて処理を行う処理部と、
前記処理部を覆うと共に、前記処理部に対するメンテナンス用の開口部を有する装置カバーと、
前記開口部を開閉する扉体と、
前記扉体の内側に配設され、前記扉体を開放した状態で紫外線を遮光する遮光幕体と、を備えたことを特徴とする処理装置。
【請求項２】
前記遮光幕体は、前記扉体の内側に沿わせて配設されていることを特徴とする請求項１に記載の処理装置。
【請求項３】
前記扉体は、左右方向に開閉される下部扉体と、前記下部扉体の上側に配設され、上下方向に開閉される上部扉体と、有し、
前記遮光幕体は、前記上部扉体に垂設されていることを特徴とする請求項１または２に記載の処理装置。
【請求項４】
前記上部扉体は、閉塞位置と開放位置と間でヒンジ部を中心に上下開き戸形式で開閉され、
前記上部扉体に対し前記遮光幕体は、
前記閉塞位置における前記遮光幕体の上端部と、前記開放位置における前記遮光幕体の上端部とが、前記ヒンジ部を通る水平仮想線に対し線対称となるように、垂設されていることを特徴とする請求項３に記載の処理装置。
【請求項５】
前記上部扉体は、前記遮光幕体が垂設された膜体支持部を備え、
前記膜体支持部は、
前記遮光幕体の上端部が固定された吊下げ部と、
前記吊下げ部の両端部に設けられた一対のブラケット部と、
前記各ブラケット部を回動可能に支持すると共に、前記閉塞位置と前記開放位置との間で前記ブラケット部を所定の姿勢に維持する一対の受け部と、を有していることを特徴とする請求項４に記載の処理装置。
【請求項６】
前記遮光幕体は、
膜体本体と、
前記膜体本体の左右両側に連なると共に、前記膜体本体に対し内側に折り曲げ可能に構成された一対の袖膜部と、を有していることを特徴とする請求項４または５に記載の処理装置。
【請求項７】
前記遮光幕体は、各袖膜部に添設され、前記上部扉体の開閉に伴って各袖膜部と共に上下動する一対の板材を、更に有し、
前記装置カバーは、前記閉塞位置から上動する前記板材に係合し前記各袖膜部を浅く折り曲げ、且つ前記開放位置から下動する前記板材に係合し前記各袖膜部を深く折り曲げる一対の係合部を有していることを特徴とする請求項６に記載の処理装置。
【請求項８】
前記膜体本体は、縦通しの複数枚の膜体片を有し、
前記複数枚の膜体片は、相互の幅端部が重なっていることを特徴とする請求項６または７に記載の処理装置。
【請求項９】
前記膜体本体および前記一対の袖膜部は、ＪＩＳ−Ｌ−１０５５に規定する遮光性能試験方法のＡ法により遮光率９９．９９％以上のシート材で構成されていることを特徴とする請求項６ないし８のいずれか一項に記載の処理装置。
【請求項１０】
前記処理部が、前記処理対象物である記録媒体に対し前記紫外線硬化インクを用いて印刷を行う印刷部であることを特徴とする請求項１ないし９のいずれか一項に記載の処理装置。
【発明の詳細な説明】
【技術分野】
【０００１】
本発明は、紫外線硬化インクを用いて処理を行う処理部と、処理部を覆う装置カバーと、を備えた処理装置に関する。
【背景技術】
【０００２】
従来、この種の処理装置として、紫外線硬化インクを用いて印刷を行う画像記録装置が知られている（特許文献１参照）。
この画像記録装置は、記録媒体であるシートを繰り出す繰出部と、繰出部から繰り出されたシートに印刷を行うプロセス部と、プロセス部で印刷されたシートを巻き取る巻取部と、これら繰出部、プロセス部および巻取部を収容する外装部材と、を備えている。また、プロセス部は、繰出部から繰り出されたシートを支持するプラテンと、プラテンに対峙するヘッドユニットと、を有している。ヘッドユニットは、紫外線硬化インクにより、インクジェット方式で印刷を行う色別複数の印刷ヘッドと、各印刷ヘッドの下流側に配設された複数のＵＶランプと、を有している。
【先行技術文献】
【特許文献】
【０００３】
【特許文献１】特開２０１４−１１３７６５号公報
【発明の概要】
【発明が解決しようとする課題】
【０００４】
このような、従来の画像記録装置では、一般的にプロセス部のメンテナンスを行うために、外装部材（装置カバー）に開口部が設けられている。開口部は、開閉扉により開閉され、メンテナンス時には、開閉扉を開放してプロセス部のメンテナンスが行われる。
ところで、紫外線硬化インクを用いるプロセス部では、作業者がプロセス部に対してメンテナンスを行う際に、開閉扉を開放してメンテナンスを行うと、開口部から侵入した外光（紫外線）により、紫外線硬化インクが硬化し、メンテナンスが適切に行われなくなる虞がある。かかる場合に、開閉扉を閉塞してもよいが、この場合には、外装部材の内部に作業者が入ってメンテナンスを行うだけの十分な作業スペースを確保する必要があり、装置が大型化してしまう。このため、開口部を外側から暗幕等の遮光幕で覆うことで、開閉扉を開放したままでもプロセス部に対する遮光性と作業者の作業スペースを確保しつつメンテナンスを行うことが考えられる。
しかし、このようにすると、開口部を遮光幕で覆った状態で、開閉扉を開閉せざるを得ない（外光の侵入を考慮）。このため、開閉扉の開閉に際し遮光幕が邪魔になることが想定される。例えば、開閉扉を開閉するときには、遮光幕を一旦たくし上げる必要があり、また閉塞時に、遮光幕が開閉扉に挟み込まれるおそれがある。すなわち、遮光幕が邪魔になって、開閉扉の開閉が煩雑になると共に、この開閉に際し外光の侵入頻度が増すことが想定される。
【０００５】
本発明は、遮光幕体を設けても、扉体の開閉が煩雑になることがなく、且つ開閉の際の外光の侵入を極力抑えることができる処理装置を提供することを課題としている。
【課題を解決するための手段】
【０００６】
本発明の処理装置は、処理対象物に紫外線硬化インクを用いて処理を行う処理部と、処理部を覆うと共に、処理部に対するメンテナンス用の開口部を有する装置カバーと、開口部を開閉する扉体と、扉体の内側に配設され、扉体を開放した状態で紫外線を遮光する遮光幕体と、を備えたことを特徴とする。
【０００７】
この構成によれば、扉体を開放した状態で紫外線を遮光する遮光幕体が、扉体の内側に配設されているため、扉体の開閉に際し、扉体と遮光幕体との干渉が抑制される。すなわち、扉体の開閉に際し遮光幕体が邪魔になることがない。したがって、扉体の開閉が煩雑になることがなく、且つ開閉の際の外光（紫外線）の侵入を極力抑えることができる。なお、扉体は、外開きの開き戸形式、或いは引き戸形式のものが好ましい。
【０００８】
この場合、遮光幕体は、扉体の内側に沿わせて配設されていることが好ましい。
【０００９】
この構成によれば、装置カバー内において、遮光幕体をスペース効率良く配置することができる。また、遮光幕体を背にした状態の作業スペース（メンテナンス）を可能な限り広くとることができる。
【００１０】
また、扉体は、左右方向に開閉される下部扉体と、下部扉体の上側に配設され、上下方向に開閉される上部扉体と、有し、遮光幕体は、上部扉体に垂設されていることが好ましい。
【００１１】
この構成によれば、上部扉体および下部扉体が開閉する開口部を、遮光幕体で覆うことができる。また、上部扉体を開放するとこれに伴って遮光幕体が上動する。すなわち、上部扉体による開口部の開放と、遮光幕体による開口部の閉塞とが同時並行で行われる。このため、上部扉体の開放に伴う外光（紫外線）の侵入を、極力抑えることができる。
【００１２】
この場合、上部扉体は、閉塞位置と開放位置と間でヒンジ部を中心に上下開き戸形式で開閉され、上部扉体に対し遮光幕体は、閉塞位置における遮光幕体の上端部と、開放位置における遮光幕体の上端部とが、ヒンジ部を通る水平仮想線に対し線対称となるように、垂設されていることが好ましい。
【００１３】
この構成によれば、上部扉体の開閉に伴って上下動する遮光幕体の、内外方向へのブレ（移動）を極力抑制することができる。これにより、閉塞位置と開放位置との間で、遮光幕体を付け替える等の必要がない。また、上部扉体の閉塞位置における遮光幕体の内外方向の位置と、開放位置における遮光幕体の内外方向の位置と、を同位置とすることができる。これにより、上部扉体の閉塞時においては、遮光幕体をスペース効率良く配置することができる一方、開放時においては、作業スペース（メンテナンス）を広くとることができる。
【００１４】
この場合、上部扉体は、遮光幕体が垂設された膜体支持部を備え、膜体支持部は、遮光幕体の上端部が固定された吊下げ部と、吊下げ部の両端部に設けられた一対のブラケット部と、各ブラケット部を回動可能に支持すると共に、閉塞位置と開放位置との間でブラケット部を所定の姿勢に維持する一対の受け部と、を有していることが好ましい。
【００１５】
この構成によれば、上部扉体における遮光幕体の垂設位置に自由度を持たせることができると共に、膜体本体を、扉体の内側に沿わせるように吊り下げることができる。また、受け部により、上部扉体の開閉に伴ってブラケット部が相対的に回動するため、ブラケット部を所定の姿勢に維持することができる。これにより、上部扉体の開閉に伴う遮光幕体の内外方向へのブレ（移動）を、極力抑制することができる。
【００１６】
また、遮光幕体は、膜体本体と、膜体本体の左右両側に連なると共に、膜体本体に対し内側に折り曲げ可能に構成された一対の袖膜部を、更に有していることが好ましい。
【００１７】
この構成によれば、扉体の開放に伴って生ずる正面の開放部分（開口部の一部）を、膜体本体で覆い、上部扉体の両側面の開放部分（開口部の一部）を、適宜折り曲げた一対の袖膜部で覆うことができる。すなわち、扉体によって開放される部分を、遮光幕体で極力覆うことができる。
【００１８】
この場合、遮光幕体は、各袖膜部に添設され、上部扉体の開閉に伴って各袖膜部と共に上下動する一対の板材を、更に有し、装置カバーは、閉塞位置から上動する板材に係合し各袖膜部を浅く折り曲げ、且つ開放位置から下動する板材に係合し各袖膜部を深く折り曲げる一対の係合部を有していることが好ましい。
【００１９】
この構成によれば、上部扉体を開放してゆくと、一対の袖膜部は広がって、両側面の開放部分を覆う。一方、上部扉体を開放してゆくと、一対の袖膜部は狭まって、装置カバー内にコンパクトに納まる。このように、袖膜部は、装置カバー内にスペース効率良く配置することができると共に、開口部からの外光を適切に遮光することができる。
【００２０】
また、膜体本体は、縦通しの複数枚の膜体片を有し、複数枚の膜体片は、相互の幅端部が重なっていることが好ましい。
【００２１】
さらに、膜体本体および一対の袖膜部は、ＪＩＳ−Ｌ−１０５５に規定する遮光性能試験方法のＡ法により遮光率９９．９９％以上のシート材で構成されていることが好ましい。
【００２２】
これらの構成によれば、遮光性を高く維持しつつ、作業者をして、装置カバー内への出入りを円滑に行うことができる。
【００２３】
一方、処理部が、処理対象物である記録媒体に対し紫外線硬化インクを用いて印刷を行う印刷部であることが好ましい。
【００２４】
この構成によれば、紫外線硬化インクを用いる印刷部のメンテナンスを、円滑に且つ適切に行うことができる。
【図面の簡単な説明】
【００２５】
【図１】実施形態に係る印刷装置の内部構造を模式的に表した説明図である。
【図２】実施形態に係る印刷装置の模式図であって、正面（背面）から見た正面模式図（ａ）、側方から見た断面模式図（ｂ）、上方から見た断面模式図（ｃ）である。
【図３】実施形態に係る印刷装置の扉体を開放した状態の模式図であって、正面（背面）から見た正面模式図（ａ）、側方から見た断面模式図（ｂ）、上方から見た断面模式図（ｃ）である。
【図４】遮光幕体の模式図であって、正面から見た正面模式図（ａ）、側方から見た断面模式図（ｂ）、上方から見た平面模式図（ｃ）である。
【図５】膜体取付け部廻りの説明図である。
【発明を実施するための形態】
【００２６】
以下、添付の図面を参照して、本発明の一実施形態に係る処理装置を適用した印刷装置について説明する。この印刷装置は、セットされた印刷媒体をロール・ツー・ロール方式で送ると共に、送られてゆく印刷媒体にインクジェット方式で紫外線硬化インク（以下「ＵＶインク」という。）を吐出して印刷を行うものである。また、印刷装置の装置カバー（安全カバー）には、メンテナンスのための開口部およびこれを覆って外光（紫外線）を遮光する遮光幕体が設けられている。
【００２７】
［印刷装置の内部構造］
図１は、実施形態に係る印刷装置の内部構造を模式的に表した説明図である。同図に示すように、印刷装置１は、シート状の印刷媒体Ｐをロール・ツー・ロール方式で送る媒体送り部２と、送られてゆく印刷媒体Ｐに対し、ＵＶインクを用いて印刷を行う印刷部３と、印刷部３の自動保守を行う自動保守部４（図２参照）と、自動保守部４との間にメンテナンス用の作業エリア５（作業スペース）を存して配設され遮光幕体６（図２参照）と、これら内部装置等を収容する装置カバー７と、を備えている。なお、印刷媒体Ｐの材質としては、特に限定されるものではなく、紙系、フィルム系など、種々のものが用いられる。また、装置カバーは、遮光性を有し、印刷装置１の内部装置に対し外光を遮光する遮光部材としても機能する。
【００２８】
媒体送り部２は、ロール状に巻回した印刷媒体Ｐを繰り出す繰出しリール１１と、繰り出された印刷媒体Ｐを印刷のために保持しながら送る回転ドラム１２と、回転ドラム１２から送り出された印刷媒体Ｐをロール状に巻き取る巻取りリール１３と、回転ドラム１２を中心に印刷媒体Ｐの送り経路を規制（経路変更）する複数のローラー１４と、を備えている。
【００２９】
印刷媒体Ｐは、回転ドラム１２の外周面に摩擦力により保持され、回転ドラム１２の回転によって周回するように送られる。また、回転ドラム１２の外周面の一部には、印刷部３が対峙しており、送られてゆく印刷媒体Ｐに印刷データに基づいてＵＶインクを吐出する（印刷）。すなわち、回転ドラム１２は、印刷部３におけるプラテンを兼ねている。
【００３０】
印刷部３は、複数のヘッドユニット１７を有し、印刷媒体ＰにＵＶインクを吐出するインク吐出部１６と、印刷媒体Ｐに塗着したＵＶインクを紫外線照射により硬化させる照射部１８と備えている。
【００３１】
複数のヘッドユニット１７は、回転ドラム１２外周面に沿って並び設けられている。複数のヘッドユニット１７は、複数種（例えばＣ・Ｍ・Ｙ・Ｋの４色）のＵＶインクと一対一に対応している。各色のヘッドユニット１７は、回転ドラム１２の軸方向に１の印刷ラインを構成すべく、複数のインクジェットヘッド（図示省略）を備えている。そして、各ヘッドユニット１７の複数のインクジェットヘッドは、回転ドラム１２の外周面に支持された印刷媒体Ｐに対して、ＵＶインクを選択的に吐出する。これにより、印刷媒体Ｐ上にカラー画像が形成される。
【００３２】
照射部１８は、複数のヘッドユニット１７に対応する複数の仮硬化用照射器２１と、回転ドラム１２と巻取りリール１３との間の送り経路に介設した本硬化用照射器２２と、を備えている。複数の仮硬化用照射器２１は、回転ドラム１２の外周面に沿って、複数のヘッドユニット１７と１つずつ交互に並ぶように配設されている。この場合、仮硬化用照射器２１は、対応するヘッドユニット１７に対して、印刷媒体Ｐの送り方向の下流側に配設されている。印刷媒体ＰにＵＶインクが吐出されると、印刷媒体Ｐに着弾した直後のＵＶインクに紫外線を照射され、仮硬化が行われる。これにより、ＵＶインクのドットの拡がりや混色が抑制される。
【００３３】
本硬化用照射器２２は、送り経路の最下流側に設けられた仮硬化用照射器２１よりも、さらに下流側に配設されている。本硬化用照射器２２は、ＵＶインクの吐出および仮硬化が行われた印刷媒体Ｐに対し、仮硬化用照射器２１よりも大きい積算光量の紫外線を照射する。これにより、印刷媒体Ｐに着弾したＵＶインクが、完全に硬化し、印刷媒体Ｐに定着する。なお、仮硬化用照射器２１および本硬化用照射器２２には、例えば、紫外線を照射するＬＥＤ（Light Emitting Diode）ランプ、高圧水銀ランプなどを用いることができる。
【００３４】
自動保守部４は、インクジェットヘッドに対し保守を行う部分であり、特に詳細は図示しないが、吸引ユニットやワイピングユニット等を有している。また、自動保守部４は、レールを有する搬送ユニット２４を有しており（図２参照）、搬送ユニット２４は、ヘッドユニット１７や仮硬化用照射器２１（印刷部３）を、回転ドラム１２に臨む印刷エリア２６と作業エリア５に面する保守エリア２７との間で搬送する。なお、詳細は後述するが、印刷部３を作業者の手によってメンテナンスする場合には、印刷部３を保守エリア２７に移動した状態で、作業者が作業エリア５に入り込んで作業が行われる。
【００３５】
［装置カバーと扉体］
次に、図２および図３の模式図を参照して、遮光幕体６を含む装置カバー７廻りの構造について詳細に説明する。上述のように、装置カバー７は、媒体送り部２や印刷部３等の構成装置を覆う、いわゆる安全カバーであり、その背面側には、主として印刷部３のメンテナンスを行うための開口部３１が設けられている。そして、開口部３１には、これを開閉する扉体３２が設けられ、且つ扉体３２の内側には遮光幕体６が配設されている。なお、扉体３２は、装置カバー７（印刷装置１）の背面側に設けられているが、理解を容易にすべく、以下、扉体３２側を「正面」、印刷装置１の外側から扉体３２に向かって手前側を「前方」、奥側を「後方」として説明を進める。
【００３６】
装置カバー７の正面側（背面側）には、左右一対のボックス部３４ａ，３４ｂが配設され、この一対のボックス部３４ａ，３４ｂの間に、広く開口部３１が、すなわち扉体３２が配設されている。一方のボックス部３４ａの上部には、モータードライバー等が内蔵された電装ボックス３５ａが配設され、他方のボックス部３４ｂの上部には、照射器用電源が内蔵された電装ボックス３５ｂが配設されている。
【００３７】
一方、扉体３２は、左右方向に開閉される下部扉体４１と、下部扉体４１の上側に配設され、上下方向に開閉される上部扉体４２と、有している。したがって、一対のボックス部３４ａ，３４ｂの間に、下部扉体４１および上部扉体４２が配設されている。この場合、上部扉体４２は、一対の電装ボックス３５ａ，３５ｂより上方に突出している。
【００３８】
下部扉体４１は、いわゆる観音開きの２枚の扉４４で構成されており、各扉４４は、側端部で装置カバー７に開閉可能に支持されている。各扉４４には取っ手４５が設けられ、各扉４４は外開きの左右開き戸形式で、且つ１８０°の開き角度で開閉される。
【００３９】
上部扉体４２は、正面部５１および天面部５２に加え、両側面部５３を有してボックス状に形成されている。この場合の両側面部５３は、上部扉体４２を開放したときに外光の侵入を可能な限り遮光する。天面部５２の奥側にはヒンジ部５５が設けられており、上部扉体４２は、このヒンジ部５５を中心に上下開き戸形式で開閉される。また、特に図示しないが、上部扉体４２は、ヒンジ部５５により閉塞位置と開放位置とが位置規制されるようになっている。
【００４０】
正面部５１の下部中央には、上部扉体４２を開閉するためのハンドル５６が設けられている。作業者は、このハンドル５６を握って上部扉体４２を上方に開放する。この場合、上部扉体４２のヒンジ部５５が天面部５２の奥側に配設されているため、開放に際しハンドル５６の位置が極端に後方に移動することがなく、上部扉体４２の開閉を無理なく行えるようになっている。
【００４１】
また、上部扉体４２には、扉体３２を開放した状態で紫外線を遮光する遮光幕体６が垂設されている。このため、上部扉体４２は、その内側において両側面部５３間に渡すように膜体支持部５８を有している。遮光幕体６は、扉体３２の内側に沿うように配設されると共に、上端部で、膜体支持部５８を介して上部扉体４２に垂設されている。
【００４２】
すなわち、遮光幕体６は、扉体３２の内側において、下部扉体４１および上部扉体４２が面する開口部３１を覆うように垂れ下がっており、上部扉体４２の開閉に伴って上下する。これにより、下部扉体４１および上部扉体４２を開放した状態で、垂れ下がった遮光幕体６により外光が遮光される。もっとも、上部扉体４２の開放に伴って遮光幕体６が上動した分、足元の部分が開放されてしまうが、この分、遮光幕体６の下端部を弛ませておくことも可能である。
【００４３】
［膜体支持部と遮光幕体］
次に、図４および図５を参照して、上部扉体４２の膜体支持部５８、およびこれに支持された遮光幕体６について、詳細に説明する。
両図に示すように、遮光幕体６は、膜体本体６１と、膜体本体６１の左右両側に連なる一対の袖膜部６２と、を有している（図４（ａ）参照）。また、遮光幕体６は、各袖膜部６２に添設された一対の板材６３を有している。膜体本体６１および一対の袖膜部６２は、例えばＪＩＳ−Ｌ−１０５５に規定する遮光性能試験方法のＡ法により遮光率９９．９９％以上のシート材で構成されている。そして、遮光幕体６は、その上端部で上部扉体４２の膜体支持部５８に垂設されている。
【００４４】
この場合、上部扉体４２に対し遮光幕体６は、閉塞位置における遮光幕体６の上端部（膜体支持部５８への固定部）と、開放位置における遮光幕体６の上端部とが、ヒンジ部５５を通る水平仮想線に対し線対称となるように、垂設されている（図３（ｂ）および図５参照）。これにより、上部扉体４２に伴って上下動する遮光幕体６は、途中で僅かに前方に移動するが、閉塞位置および開放位置において、前後方向の同位置に定位する。
【００４５】
膜体本体６１は、縦通しの２枚の膜体片６１ａで構成され、２枚の膜体片６１ａは、相互の幅端部が重なるように配設されている。作業者は、２枚の膜体片６１ａの重なり部分を両側にかき分けるようにして、作業エリア５に対する内外の出入りを行い得るようになっている。なお、膜体本体６１は、３枚以上の膜体片６１ａで構成されたものであってもよい。
【００４６】
また、一対の袖膜部６２は、膜体本体６１に対し内側に折り曲げ可能に構成されている。詳細は後述するが、一対の袖膜部６２は、内側に逆「ハ」字状に折り曲げた状態で、膜体本体６１と共に、膜体支持部５８にねじ止め等により取り付けられている（図４（ｃ）参照）。
【００４７】
一方、膜体支持部５８は、遮光幕体６の上端部が固定された吊下げ部７１と、吊下げ部７１の両端部に設けられた一対のブラケット部７２と、各ブラケット部７２を回動可能に支持する一対の受け部７３と、を有している（図５参照）。各受け部７３は、上部扉体４２の側面部５３内側に設けたチャンネル材で構成されている。遮光幕体６は、吊下げ部７１に支持され、ブラケット部７２を介して、受け部７３の上下略中間位置に回動可能に取り付けられている。なお、受け部７３は、上部扉体４２の側面部５３と一体に形成されていてもよい（側面部５３が受け部７３の機能を有していてもよい）。
【００４８】
吊下げ部７１は、上部扉体４２の正面部５１に沿って水平に延在しており、平面視、ストレート形状のストレート部７１ａと、ストレート部７１ａの外端から直角三角形を為すように拡幅された一対の拡幅部７１ｂとで、一体に形成されている（図４（ｃ）参照）。ストレート部７１ａの内側の面には、膜体本体６１の上端部が固定され、各拡幅部７１ｂの内側の面には、袖膜部６２の上端部がそれぞれ固定されている。したがって、遮光幕体６は、上側から見た（平面視）ときには、一対の袖膜部６２が逆「ハ」字状を為すようにして、吊下げ部７１に吊り下げられている。
【００４９】
各受け部７３には、逆「Ｌ」字状に切り込んだ受け溝７５が形成される一方、各ブラケット部７２には、受け溝７５の最奥部に回動可能に支持される回動軸７６が取り付けられている（図５参照）。これにより、一対のブラケット部７２は、一対の受け部７３に回動可能に支持されている。また、各受け部７３には、受け溝７５の下側近傍に係合ピン７７が取り付けられる一方、各ブラケット部７２には、係合ピン７７が係合する円弧状の長穴７８が形成される。
【００５０】
長穴７８は、受け溝７５の最奥部を中心に円弧状に形成されており、回動するブラケット部７２は、長穴７８の両端部に係合ピン７７が突き当たることにより、回動角度が規制されている。この回動角度は、閉塞位置と開放位置とによって位置規制される上部扉体４２の開閉角度と一致している。これにより、上部扉体４２の開閉に伴って受け部７３（チャンネル材）の鉛直方向に対する角度が変化するが、この受け部７３に対し相対的に回動するブラケット部７２は、その水平姿勢を維持する。
【００５１】
すなわち、ブラケット部７２は、上部扉体４２が閉塞位置に移動しても、また開放位置に移動しても、水平姿勢を維持する。これにより、ブラケット部７２に支持された遮光幕体６は、上部扉体４２の開閉に伴って上下動しても、その前後方向の位置、すなわち扉体３２の内側に沿わせた位置を維持する。
【００５２】
一方、拡幅部７１ｂの形状に倣って内側に折り曲げた状態で、吊下げ部７１に支持された各袖膜部６２には、板材６３がそれぞれ添設されている。各板材６３は、袖膜部６２の上下中間位置において、扉体３２側に貼着されている。各板材６３の下端部は、斜めに形成されており、この部分が装置カバー７の内側に設けた一対のガイド突起８１（係合部）と係合するようになっている（図４（ｃ）参照）。
【００５３】
すなわち、各ガイド突起８１は、閉塞位置から上動する板材６３に係合し袖膜部６２を浅く折り曲げ（吊下げ部７１に吊り下げられた姿勢を維持）、且つ開放位置から下動する板材６３に係合し袖膜部６２を深く折り曲げる（ほぼ直角）ようになっている。これにより、上部扉体４２が開放位置にあるときには、一対の袖膜部６２が逆「ハ」字状に広がり、閉塞位置に有るときには、一対の袖膜部６２が直角に狭まる。これにより、開放した上部扉体４２と、一対の電装ボックス３５ａ，３５ｂとの間に生ずる両サイドの開口部分を、一対の袖膜部６２により閉塞できるようになっている。
【００５４】
このように構成された印刷装置１のメンテナンス作業では、先ず印刷部３を印刷エリア２６から保守エリア２７に移動させる。続いて、下部扉体４１を開放すると共に上部扉体４２を開放する。この状態で開口部３１は、一対の袖膜部６２が広がった遮光幕体６で覆われており、作業者は、遮光幕体６をかき分けて作業エリア５に入り込む。ここでメンテナンス作業が実施される。
【００５５】
メンテナンス作業では、遮光幕体６により外光が遮光され、紫外線硬化インクの硬化が防止されて、適切なメンテナンスが行われる。メンテナンスが終了すると、上記と逆の手順で扉体３２が閉塞される。すなわち、遮光幕体６を装置カバー７に残した状態で、扉体３２が閉塞される。
【００５６】
［作用・効果等］
以上のように、本実施形態によれば、扉体３２を開放した状態で紫外線を遮光する遮光幕体６を、扉体３２の内側に沿わせるように配設しているため、扉体３２の開閉に際し遮光幕体６が邪魔になることがなく、且つ遮光幕体６が内部装置と干渉することもない。したがって、メンテナンス時に、外光（紫外線）の侵入を極力抑えることができるだけでなく、装置カバー７内において、遮光幕体６をスペース効率良く配置することでき、且つメンテナンス用の作業スペース（作業エリア５）を広くとることができる。
【００５７】
また、遮光幕体６を上部扉体４２に垂設することで、上部扉体４２による開口部３１の開放と、遮光幕体６による開口部３１の閉塞とが同時並行で行うことができる。これにより、上部扉体４２の開放に伴う外光（紫外線）の侵入を、極力抑えることができる。しかも、上部扉体４２の開閉に伴って上下動する遮光幕体６における、内外方向へのブレ（移動）を極力抑制することができる。さらに、上部扉体４２の閉塞位置における遮光幕体６の内外方向の位置と、開放位置における遮光幕体６の内外方向の位置と、を同位置とすることができ、この点でも、遮光幕体６をスペース効率良く配置することができると共に、作業スペースを広くとることができる。
【００５８】
なお、本実施形態の遮光幕体６は、上部扉体４２に垂設されているため、上部扉体４２の開放に伴って、足元の開口部分が開放されてしまう。そこで、上部扉体４２の下端部に、遮光幕体６の下端側を巻回した繰出し機構を備えることが好ましい。繰出し機構は、例えば遮光幕体６の下端側を巻回したロッドと、ロッドに組み込んだ戻しばねとで構成し、上部扉体４２を開放すると、戻しばね抗してロッドから遮光幕体６が繰り出され、上部扉体４２を閉塞すると、余剰の遮光幕体６が戻しばねによりロッドに巻き取られるようにする。すなわち、遮光幕体６をロールブラインドの形態、或いはこれを上下反転した形態とすることが好ましい。
【００５９】
また、本発明は、広く紫外線硬化インクを用いて処理を装置に適用可能であり、装置は上記の印刷装置１に限定されるものではない。
【符号の説明】
【００６０】
１  印刷装置、３  印刷部、５  作業エリア、６  遮光幕体、７  装置カバー、１７  ヘッドユニット、２１  仮硬化用照射器、３１  開口部、３２  扉体、４１  下部扉体、４２  上部扉体、５５  ヒンジ部、５８  膜体支持部、６１  膜体本体、６１ａ  膜体片、６２  袖膜部、６３  板材、７１  吊下げ部、７２  ブラケット部、７３  受け部、８１  ガイド突起、Ｐ  印刷媒体
【図１】
2016182784.tif 000003
【図２】
2016182784.tif 000004
【図３】
2016182784.tif 000005
【図４】
2016182784.tif 000006
【図５】
2016182784.tif 000007